(57)【要約】      （修正有）【課題】撮影焦点領域に正確に整列でき、Ｘ線発生器と検出器の作動範囲が縮小することができ、駆動メカニズムが単純化できる整列バイト及びこれを有するＸ線撮影装置を提供する。【解決手段】整列バイト１００を支持するバイト設置台に回転可能に連結されるサポートユニット１１０、サポートユニットに回転可能に連結されるバイトユニット１２０を含んで構成される。サポートユニットは、バイト設置台とバイトユニットを連結してバイトユニットを支持するリンクフレーム１１１と、リンクフレームの一側をバイト設置台に回転可能に連結する第１関節１１０ａと、バイトユニットをリンクフレームの他側に回転可能に連結する第２関節１１０ｂと、リンクフレームが折り畳まれるように第１関節と第２関節の間に備えられる第３関節を含んで構成される。【選択図】図５
2015223511.tif 000002
【特許請求の範囲】
【請求項１】
被写体をＸ線撮影位置に整列させるＸ線撮影装置の整列バイトであって、
前記整列バイトを支持するバイト設置台に回転可能に連結されるサポートユニット、そして
前記サポートユニットに回転可能に連結されるバイトユニットを含んで構成され、
前記サポートユニットは、前記バイト設置台と前記バイトユニットを連結して前記バイトユニットを支持するリンクフレームと、前記リンクフレームの一側を前記バイト設置台に回転可能に連結する第１関節と、前記バイトユニットを前記リンクフレームの他側に回転可能に連結する第２関節と、前記リンクフレームが折り畳まれるように前記第１関節と第２関節の間に備えられる第３関節を含んで構成されるＸ線撮影装置の整列バイト。
【請求項２】
前記リンクフレームは、
前記第１関節によって前記バイト設置台に連結される第１リンク部材と，
前記第３関節によって前記第１リンク部材に連結される第２リンク部材を含んで構成される、請求項１に記載のＸ線撮影装置の整列バイト。
【請求項３】
前記第２リンク部材は、前記第２関節によって前記バイトユニットに連結される、請求項２に記載のＸ線撮影装置の整列バイト。
【請求項４】
前記バイトユニットは、
前記第２関節によって前記リンクフレームに回転可能に連結されるバイト支持台、そして
被検者の上歯と下歯の間にかまれるように、前記バイト支持台に搭載されるバイトピースを含んで構成される、請求項１ないし３のいずれか１項に記載のＸ線撮影装置の整列バイト。
【請求項５】
前記バイトピースは、歯列弓形態でアーチ形状を有する、請求項４に記載のＸ線撮影装置の整列バイト。
【請求項６】
前記バイトピースは、前記バイト支持台に高さ調節が可能に搭載される、請求項４に記載のＸ線撮影装置の整列バイト。
【請求項７】
前記バイト支持台は、前記バイトピースを互いに異なる高さで支持する第１装着部と第２装着部を含んで構成される、請求項５に記載のＸ線撮影装置の整列バイト。
【請求項８】
前記バイトピースには複数の通孔が形成される、請求項４に記載のＸ線撮影装置の整列バイト。
【請求項９】
前記第１関節と第２関節と第３関節を同時に拘束するように、前記サポーターユニットに固定ホルダーが備えられることを特徴とする、請求項１に記載のＸ線撮影装置の整列バイト。
【請求項１０】
前記固定ホルダーは、前記リンクフレームと前記バイトユニットの動きを同時に拘束して前記整列バイトの姿勢を維持することを特徴とする、請求項９に記載のＸ線撮影装置の整列バイト。
【請求項１１】
被写体をＸ線撮影位置に整列させるＸ線撮影装置の整列バイト、
被写体に向けてＸ線を出射するＸ線発生器（Ｘ−ｒａｙ  Ｇｅｎｅｒａｔｏｒ）、そして
前記Ｘ線発生器と向い合った状態で動く検出器（Ｄｅｔｅｃｔｏｒ）を含んで構成されるＸ線撮影装置であって、
前記整列バイトは、
前記整列バイトを支持するバイト設置台に回転可能に連結されるサポートユニット、そして
前記サポートユニットに回転可能に連結されるバイトユニットを含んで構成され、
前記サポートユニットは、前記バイト設置台と前記バイトユニットを連結して前記バイトユニットを支持するリンクフレームと、前記リンクフレームの一側を前記バイト設置台に回転可能に連結する第１関節と、前記バイトユニットを前記リンクフレームの他側に回転可能に連結する第２関節と、前記リンクフレームが折り畳まれるように前記第１関節と第２関節の間に備えられる第３関節を含んで構成されるＸ線撮影装置。
【発明の詳細な説明】
【技術分野】
【０００１】
本発明は、Ｘ線を利用して被写体の映像を獲得するＸ線撮影装置で被写体を撮影位置に整列させる整列バイト及びこれを有するＸ線撮影装置に関する。より詳しくは、映像情報が要求される関心領域を撮影焦点領域に正確に位置させることができるＸ線撮影装置の整列バイト及びこれを有するＸ線撮影装置に関する。
【背景技術】
【０００２】
一般的に、Ｘ線撮影装置は、Ｘ線（Ｘ−ｒａｙ）が被写体を透過する際に被写体の物理的性質と距離によってＸ線の強さが減衰（Ａｔｔｅｎｕａｔｉｏｎ）する特性を利用して、被写体についての投影データ（Ｐｒｏｊｅｃｔｉｏｎ）を獲得しこれを映像化する装置である。例えば、人を対象としてＸ線を照射する場合に、生体組職の種類及び特性によってＸ線の減衰係数（Ａｔｔｅｎｕａｔｉｏｎ  Ｃｏｅｆｆｉｃｉｅｎｔ）が変わることを利用して、身体内部の投影映像を獲得することができる。
【０００３】
そして、前記Ｘ線撮影装置は、Ｘ線が被写体を透過するように前記Ｘ線を前記被写体に照射するＸ線発生器と、前記被写体を透過したＸ線を検出する検出器を含んで構成される。前記Ｘ線発生器と検出器は、一般的にＸ線発生器と検出器を支持するアーム（Ａｒｍ）等の支持器具に備えられ、互いに向かい合う状態で前記被写体の周囲を回転しながら前記被写体の映像情報を獲得する。
【０００４】
上述したＸ線撮影装置の一例であるＸ線ＣＴ映像装置（Ｘ−ｒａｙ  Ｃｏｍｐｕｔｅｄ  Ｔｏｍｏｇｒａｐｈｙ  Ｉｍａｇｉｎｇ  Ｄｅｖｉｃｅ）は、多様な角度からＸ線を被写体に照射して投影データを得て、前記投影データから前記断面映像を再構成する映像再構成過程を行うことにより前記被写体の断面映像を生成する。
【０００５】
すでに３次元ＣＢＣＴ（Ｃｏｎｅ  Ｂｅａｍ  Ｃｏｍｐｕｔｅｄ  Ｔｏｍｏｇｒａｐｈｙ）技術が歯科用映像撮影や乳房撮影術（Ｍａｍｍｏｇｒａｐｈｙ）等の領域に導入されているし、Ｘ線撮影装置の他の例であるパノラマ撮影装置は、歯牙とその周辺組職の映像を獲得するのに使用されている。前記パノラマ撮影装置において、Ｘ線発生器と検出器は、互いに向い合うようにアーム（Ａｒｍ）に装着される。前記アームは、駆動ユニットによって直線運動と回転運動をし、これに伴って前記Ｘ線発生器と検出器が前記被写体の周囲を既に設定された軌道に沿って動きながら映像撮影を行う。
【０００６】
図１を参照すれば、従来のパノラマ撮影装置は、一定距離離隔されて互いに向かい合って配置されるＸ線発生器１０と検出器２０を含んで構成され、前記Ｘ線発生器１０と検出器２０が、被写体１の周囲を回転しながら被写体についての投影データを獲得する。
【０００７】
前記Ｘ線発生器１０と検出器２０は、アーム（Ａｒｍ）３０に装着され、前記アーム３０は、装置本体５０の駆動ユニット４０に回転可能に装着されて直線運動と回転運動をするようになる。前記装置本体５０は、前記駆動ユニット４０を支持する支柱フレーム５１と前記支柱フレーム５１の転倒を防止する支え台５２を含んで構成され、前記装置本体、特に前記支柱フレーム５１にはＸ線の撮影位置に被写体を定位置させるための整列バイト６１が備えられる。
【０００８】
より具体的に説明すれば、前記整列バイト６１は、前記支柱フレーム５１に備えられるバイト設置台５３に搭載され、前記バイト設置台５３には前記整列バイト６１と共にあご受け６２（Ｃｈｉｎ  Ｒｅｓｔ）が備えられる。これによって、パノラマ映像撮影のために被検者が前記あご受け６２に自分のあごを位置させ前記整列バイト６１を口にかんで固定された姿勢を取れば、前記アーム３０に搭載されているＸ線発生器１０と検出器２０が動きながら投影データを獲得する。
【０００９】
一方、前記パノラマ撮影装置は、特定の局所領域（関心領域）の硬組織（歯槽骨）についての情報、例えば前歯部や臼歯部の歯槽骨の高さや厚さ等の断面情報を獲得するために、様々な角度から前記関心領域についての投影データを獲得して、再構成技法によって前記関心領域の映像情報、例えば横断面切片（Ｃｒｏｓｓｓｅｃｔｉｏｎａｌ  Ｓｌｉｃｅ）のような断面映像を獲得し、このような情報は歯科手術、例えばインプラント手術及び診断のための情報として使用される。
【００１０】
上述した従来のＸ線映像装置において整列バイト６１は、本来の位置に固定されるか、前記バイト支持台５３を通る軸線（Ａｘｉｓ）を基準として本来の位置で回転する形態であり、図２に示されたように、複数の位置の関心領域Ｉ１、Ｉ２、Ｉ３についての投影データを得ることができる。
【００１１】
しかし、従来の整列バイトによれば、図３に示されたように、前歯領域Ｉ１を撮影するモード（図３の（ａ））と、臼歯領域Ｉ２、Ｉ３例えば左右臼歯領域Ｉ２を撮影するモード（図３の（ｂ））で、Ｘ線発生器１０と検出器２０の位置が大きく変更されなければならず、前歯領域の撮影後に臼歯領域を撮影するためには、前記Ｘ線発生器１０と検出器２０を過度に移動させなければならないため、前記アーム３０の作動範囲が広くならなければならず、前記アーム３０の駆動メカニズムが複雑になり、複数の関心領域の撮影に所要される時間が長くかかり、前記アーム３０の作動範囲を超える位置は撮影が不可能であるため撮影範囲が制限される等の問題点がある。
【先行技術文献】
【特許文献】
【００１２】
【特許文献１】大韓民国公開特許公報第１０−２０１２−０１４０１０２号、２０１２年１２月２８日公開
【００１３】
【特許文献２】大韓民国公開特許公報第１０−２００８−００１４７６９号、２００８年２月１４日公開
【００１４】
【特許文献３】大韓民国公開特許公報第１０−２００５−００００９３４号、２００５年１月６日公開
【発明の概要】
【発明が解決しようとする課題】
【００１５】
本発明は上述した従来の問題を解決するために提案されたもので、位置が互いに異なる複数の関心領域について正確な映像情報を獲得することができるように、撮影焦点位置に関心領域を正確に整列させることができるＸ線撮影装置の整列バイト及びこれを有するＸ線撮影装置を提供するところにその目的がある。
【課題を解決するための手段】
【００１６】
本発明は、被写体をＸ線撮影位置に整列させるＸ線撮影装置の整列バイト及びこれを有するＸ線撮影装置を提供する。本発明の実施例で前記整列バイトは、前記整列バイトを支持するバイト設置台に回転可能に連結されるサポートユニット、そして前記サポートユニットに回転可能に連結されるバイトユニットを含んで構成される。そして前記サポートユニットは、前記バイト設置台と前記バイトユニットを連結して前記バイトユニットを支持するリンクフレームと、前記リンクフレームの一側を前記バイト設置台に回転可能に連結する第１関節と、前記バイトユニットを前記リンクフレームの他側に回転可能に連結する第２関節と、前記リンクフレームが折り畳まれるように前記第１関節と第２関節の間に備えられる第３関節を含んで構成される。
【００１７】
前記リンクフレームは、前記第１関節によって前記バイト設置台に連結される第１リンク部材と、前記第３関節によって前記第１リンク部材に連結される第２リンク部材を含んで構成される。本発明の実施例で、前記第２リンク部材は、前記第２関節によって前記バイトユニットに連結される。
【００１８】
前記バイトユニットは、前記第２関節によって前記リンクフレームに回転可能に連結されるバイト支持台、そして被検者の上歯と下歯の間にかまれるように、前記バイト支持台に搭載されるバイトピースを含んで構成される。
【００１９】
前記バイトピースは、歯列弓形態でアーチ形状を有することができ、前記バイト支持台に高さ調節が可能に搭載されることができる。そして、前記バイト支持台は、前記バイトピースを互いに異なる高さで支持する第１装着部と第２装着部を含んで構成されることができる。また、前記バイトピースには、複数の通孔が形成されることができる。
【００２０】
そして、前記サポーターユニットには固定ホルダーが備えられて、前記第１関節と第２関節と第３関節を同時に拘束する。より具体的には、前記固定ホルダーは、前記リンクフレームと前記バイトユニットの動きを同時に拘束して前記整列バイトの姿勢を維持する。
【発明の効果】
【００２１】
本発明によれば、関節構造の整列バイトによって、映像情報が必要な関心領域が撮影焦点領域に正確に整列されることができるため、関心領域についての正確な映像情報を獲得することができ、Ｘ線発生器と検出器の作動範囲を縮小することができて、駆動メカニズムを単純化することができ、さらには被写体の整列方向を変化させて撮影可能範囲に制限を受けないため、撮影可能な関心領域の範囲を大きく拡張することができる。
【００２２】
本発明によれば、パノラマ撮影装置を利用して関心領域、例えば臼歯部や前歯部の断面映像を獲得して歯槽骨の高さや厚さを見せることができるため、Ｘ線映像装置の価格を下げることができ、既存のパノラマ撮影装置をそのまま利用することができる。
【図面の簡単な説明】
【００２３】
本発明の特徴及び長所は、後述する本発明の実施例についての詳細な説明と共に、次に説明される図面を参考してさらによく理解されることができる。前記図面のうち、
【図１】一般的な整列バイトを有するＸ線撮影装置の一例を示した斜視図である。
【図２】被写体であるあご骨の関心領域の例を示した図である。
【図３】従来の整列バイトで前歯領域と（左）臼歯領域についての投影データを獲得する方式を示した図である。
【図４】本発明の一実施例による整列バイトを有するＸ線撮影装置の一実施例を示した斜視図である。
【図５】本発明の一実施例による整列バイトを示した斜視図である。
【図６】図５の整列バイトが折り畳まれた構造の一例を示した斜視図である。
【図７ａ】図５に示された整列バイトの内部構造を示した図である。
【図７ｂ】図５に示された整列バイトの内部構造を示した図である。
【図８】互いに異なる位置の関心領域を撮影焦点領域に位置するように図５の整列バイトが調節された状態を示した平面図である。
【図９】互いに異なる位置の関心領域を撮影焦点領域に位置するように図５の整列バイトが調節された状態を示した平面図である。
【図１０】互いに異なる位置の関心領域を撮影焦点領域に位置するように図５の整列バイトが調節された状態を示した平面図である。
【図１１】本発明の一実施例によるＸ線撮影装置を利用して関心領域の投影データを複数の方向から獲得する例を示した図である。
【図１２】幅が狭い検出器を利用して関心領域全体についての投影データを一方向から獲得する例を示した図である。
【図１３】本発明の一実施例による整列バイトを利用して、前歯領域と（左）臼歯領域についての投影データを獲得する方式を示した図である。
【図１４】本発明の一実施例によるＸ線撮影装置によって獲得される断面映像の一例を示した図である。
【発明を実施するための具体的な内容】
【００２４】
以下、本発明の目的が具体的に実現されることができる本発明の好ましい実施例が添付された図面を参照して説明する。本実施例を説明するにおいて、同一構成については同一名称及び同一符号が使用され、これによる付加的な説明は下記で省略される。
【００２５】
まず、図４ないし図６を参照して本発明によるＸ線映像装置のイメージング方法の具現が可能なＸ線映像装置の一実施例を説明する。ここで、図４は本発明の一実施例による整列バイトを有するＸ線撮影装置の一実施例を示した斜視図、図５は本発明の一実施例による整列バイトを示した斜視図、図６は図５の整列バイトが折り畳まれた構造の一例を示した斜視図である。
【００２６】
図４ないし図６を参照すると、本発明は、被写体をＸ線撮影位置に整列させるＸ線撮影装置の整列バイト及びこれを有するＸ線撮影装置を提供する。
【００２７】
本発明の一実施例によるＸ線撮影装置は、前記整列バイト１００と、被写体に向けてＸ線（Ｘ−ｒａｙ）、より具体的にはＸ線ビームを出射するＸ線発生器２１０と、前記Ｘ線発生器と向い合って設置されて前記Ｘ線を検出する検出器２２０を含んで構成される。
【００２８】
本実施例をより具体的に説明すると、前記Ｘ線発生器２１０と前記検出器２２０は、アーム（Ａｒｍ）２３０すなわちサスペンションアーム（Ｓｕｓｐｅｎｓｉｏｎ  Ａｒｍ）に備えられ、前記アーム２３０は装置本体の駆動ユニット２４０に回転可能に支持されて線形運動と回転運動をする。
【００２９】
本実施例で前記装置本体２５０は、前記駆動ユニット２４０を支持する支柱フレーム２５１と、前記支柱フレーム２５１の転倒を防止する支え台２５２をさらに含むスタンド形状で、本実施例で開示されるＸ線撮影装置はパノラマ撮影装置の一例である。
【００３０】
前記支柱フレーム２５１は、前記支え台２５２に設置される下部フレーム２５１ａと、前記駆動ユニット２４０を支持するように前記下部フレーム２５１ａの上側に設置される上部フレーム２５１ｂを含んで構成される。
【００３１】
前記駆動ユニット２４０は、前記上部フレーム２５１ｂに直接または連結梁を媒介として間接的に設置されることができ、前記駆動ユニット２４０の内部には前記アーム２３０の移動、例えば回転移動と直線移動のためのギア等の装置が備えられる。前記駆動ユニット２４０とアーム２３０と支柱フレーム２５１等の構造、及び前記Ｘ線発生器２１０と検出器２２０の作動原理と映像獲得原理は、本技術分野で公知となった技術が適用されることができるため付加的な説明は省略する。
【００３２】
そして前記整列バイト１００は、バイト設置台２５３に装着されて前記バイト設置台２５３によって支持される。本実施例で前記バイト設置台２５３は、前記整列バイト１００を支持するために前記支柱フレーム２５１に備えられるが、これに限定されるものではない。
【００３３】
本実施例で前記バイト設置台２５３は、前記支柱フレーム２５１に固定される固定ベース２５３ａと、前記固定ベース２５３ａに装着され前記整列バイト１００を回転可能に支持するバイトコネクタ２５３ｂを含んで構成されるが、前記整列バイト１００が前記固定ベース２５３ａに直接回転可能に連結されることもできる。
【００３４】
図５及び図６を参照すると、本実施例での整列バイト１００は、前記バイト設置台に回転可能に連結されるサポートユニット１１０と、前記サポートユニット１１０に回転可能に連結されるバイトユニット１２０を含んで構成され、少なくとも３つの関節が適用された構造である。よって、３つまたはそれ以上の関節が本発明に適用されることができる。
【００３５】
そして、前記サポートユニット１１０は、前記バイト設置台２５３と前記バイトユニット１２０を連結するリンクフレーム１１１、１１２と、前記リンクフレーム１１１、１１２の一側を前記バイト設置台２５３に回転可能に連結する第１関節１１０ａと、前記バイトユニット１２０を前記リンクフレーム１１１、１１２の他側に回転可能に連結する第２関節１１０ｂと、前記リンクフレーム１１１、１１２が折り畳まれるように前記第１関節１１０ａと第２関節１１０ｂの間に備えられる第３関節１１０ｃを含んで構成される。
【００３６】
前記リンクフレーム１１１、１１２は、前記第１関節１１０ａを媒介として前記バイト設置台２５３に回転可能に連結されて前記バイトユニット１２０を支持する。
【００３７】
より具体的に説明すると、前記リンクフレーム１１１、１１２は、前記第１関節１１０ａによって前記バイト設置台２５３に連結される第１リンク部材１１１と、前記第３関節１１０ｃによって前記第１リンク部材１１１に連結される第２リンク部材１１２を含んで構成される。
【００３８】
本実施例では、前記第２リンク部材１１２が前記第２関節１１０ｂによって前記バイトユニット１２０に連結され、前記第１リンク部材１１１は前記第１関節１１０ａによって前記バイクコネクタ２５３ｂに連結される。これにより本実施例の整列バイト１００は３関節構造であるが、上述したとおり３つ以上の多関節構造も可能である。
【００３９】
そして、前記第１リンク部材１１１と前記第２リンク部材１１２はバー（ｂａｒ）形状であり、前記第１リンク部材１１１は前記バイトコネクタ２５３ｂの上側に連結され、前記第２リンク部材は前記第１リンク部材１１１の下側に連結されるが、前記リンクフレーム１１１、１１２の形状や構造がこれに限定されるものではなく、本実施例で前記第１関節１１０ａと第２関節１１０ｂと第３関節１１０ｃは、互いに並んだ回転軸線を形成するピボット（Ｐｉｖｏｔ）構造である。
【００４０】
次に、前記バイトユニット１２０は、前記第２関節１１０ｂによって前記リンクフレーム１１１、１１２、特に前記第２リンク部材１１２に回転可能に連結されるバイト支持台１２１と、被検者の上歯と下歯の間にかまれるように前記バイト支持台１２１に搭載されるバイトピース１２２を含んで構成される。
前記バイトピース１２２は、人の歯列弓形態でアーチ（Ａｒｃｈ）形状を有することができる。そして前記バイトピース１２２は、高さ調節が可能なことが望ましく、このために前記バイト支持台１２１に高さ調節が可能に搭載されることができる。
【００４１】
本実施例で、前記バイトピース１２２は、前記バイト支持台１２１に着脱可能に装着される。より具体的に説明すると、前記バイト支持台１２１は、前記バイトピース１２２の装着のためのバイト装着部１２１ａ、１２１ｂが備えられ、前記バイト装着部１２１ａ、１２１ｂは、前記バイトピース１２２を互いに異なる高さで支持する第１装着部１２１ａと第２装着部１２１ｂを含んで構成されることができる。したがって、被検者のあごの構造等に合わせて前記バイトピース１２２の高さを調節することができる。
【００４２】
前記バイト装着部１２１ａ、１２１ｂは、前記バイト支持台１２１の表面から突出する突起形状であり、前記バイトピース１２２には前記バイト装着部１２１ａ、１２１ｂが差し込まれる組立てホールが形成されるが、前記バイトピース１２２の装着構造がこれに限定されるものではない。
【００４３】
本実施例で前記バイトピース１２２は、ピース本体、すなわち被検者の上歯と下歯の間にかまれる部分（アーチ形状の部分）を前記バイト支持台１２１に連結するピースコネクタ１２２ａを含み、前記バイトピース１２２、特にピース本体には複数の通孔１２２ｂが形成されることができる。
【００４４】
前記バイトピース１２２は、バイト支持台１２１のレールに沿って上下移動できるように構成されることもできるため、前記バイトピース１２２の高さ調節構造が上述したものに限定されるものではない。
【００４５】
そして前記整列バイト１００には、リンクフレーム１１１、１１２を拘束して前記リンクフレーム１１１、１１２の姿勢を維持する固定ホルダー１３０が備えられ、前記固定ホルダー３０は複数の関節を同時に拘束するように構成されることができるが、これに限定されるものではないことは勿論である。
【００４６】
前記固定ホルダー１３０は、第１関節１１０ａないし第３関節１１０ｃを同時に拘束して前記整列バイト１００の動きを防止する。より具体的には、前記固定ホルダー１３０は、前記リンクフレーム１１０と前記バイトユニット１２０の動きを同時に拘束して、前記整列バイト１００の姿勢を維持し、前記固定ホルダー１３０によって前記整列バイトの全ての関節が同時に拘束される。
【００４７】
図７ａ及び図７ｂを参照すると、本実施例での固定ホルダー１３０は、ホルダースイッチ１３１と、第１プッシュ１３２と、第１ブレーキ１３３、１３４と、第２プッシュ１３５、及び第２ブレーキ１３６、１３７を含んで構成される。
【００４８】
前記ホルダースイッチ１３１は、前記第３関節１１０ｃに回転可能に連結されて前記第１プッシュ１３２と第２プッシュ１３５を移動させ、前記第１プッシュ１３２は第１ブレーキ１３３、１３４を押して前記第２関節１１０ｂを加圧し、前記第２プッシュ１３５は第２ブレーキ１３６、１３７を押して前記第１関節１１０ａを加圧する。
【００４９】
より具体的に説明すると、前記第３関節１１０ｃは、前記第１プッシュ１３２と前記第２プッシュ１３５を貫通して設置され、前記ホルダースイッチ１３１を押すと前記ホルダースイッチ１３１と前記第１プッシュ１３２の間に備えられる圧力板１３１ａが前記ホルダースイッチ１３１によって押されながら反力によって前記第３関節１１０ｃが引っ張られる。
【００５０】
これに伴って、前記第１プッシュ１３２と前記第２プッシュ１３５は、前記第３関節１１０ｃの軸方向に移動するようになり、前記第１プッシュ１３２と第２プッシュ１３５によって第１ブレーキ１３３、１３４と第２ブレーキ１３６、１３７が各々押されて前記第２関節１１０ｂと第１関節１１０ａに密着する。
例えば、図７ｂに示されたように、前記第１プッシュ１３２は前記圧力板１３１ａによって押されて下に下降し、前記第２プッシュ１３５は前記第３関節１１０ｃによって加圧されて上昇して、このような過程で前記第１ブレーキ１３３、１３４と第２ブレーキ１３６、１３７が前記第２関節１１０ｂと第１関節１１０ａの方に押されて前記第１関節１１０ａないし第３関節１１０ｃが同時に拘束する。
【００５１】
前記第１プッシュ１３２には、前記第１ブレーキ１３３、１３４の一端が挿入される傾斜溝１３２ａが形成され、前記第２プッシュ１３５にも前記第２ブレーキ１３６、１３７の一端が挿入される傾斜溝１３５ａが形成されて、前記第１プッシュ１３２と前記第２プッシュ１３５が前記ホルダースイッチ１３１の位置変化によって前記第３関節１１０ｃの軸方向に動けば、前記第１ブレーキ１３３、１３４の一端と第２ブレーキ１３６、１３７の一端が前記第１プッシュの傾斜溝１３２ａと第２プッシュの傾斜溝１３５ａからスライディングによって前記第３関節１１０ｃの外方側へ押し出される構造である。本実施例で前記第１プッシュの傾斜溝１３２ａと第２プッシュの傾斜溝１３５ａは三角溝であるが、これに限定されるものではなく、同一の機能を行うことができる限り多様な形状に変更することができる。
【００５２】
本実施例で、前記第１ブレーキ１３３、１３４と第２ブレーキ１３６、１３７は、前記第２リンク部材１１２と第１リンク部材１１１の内部に各々長さ方向に移動可能に内設されるブレーキバー１３３、１３６と、前記第２関節１１０ｂと第１関節１１０ａに各々選択的に密着して前記第２関節１１０ｂと第１関節１１０ａを加圧する加圧パッド１３４、１３７を含んで構成される。
【００５３】
本実施例で開示される整列バイト１００によれば、前記関節構造によってＸ線撮影焦点位置（図８ないし図１０で「＋」領域）に位置する領域が多様に変更／調節されることができ、前記撮影焦点位置は前記装置本体２５０に備えられて交差光を形成する照準光源（図示なし）によって形成されることができる。
【００５４】
図８は被検者の前歯領域が撮影焦点位置に整列されるように前記整列バイト１００が調節された状態、図９は被検者の左臼歯領域が撮影焦点位置に整列された状態、図１０は被検者の右臼歯領域が撮影焦点位置に整列された状態であり、本実施例よれば、撮影しようとする部分すなわち関心領域が撮影位置すなわち撮影焦点位置に正確に整列されることができるため、Ｘ線発生器と検出器の作動範囲が縮小することができ、早い時間で正確度が高い映像を獲得することができる。
【００５５】
前記関心領域の撮影のために前記バイトピース１２２に歯科用印象材を塗って被検者の歯列構造の型を取る。そして前記歯科用印象材が塗布されているバイトピース１２２を前記バイト支持台１２１に搭載し、前記リンクフレーム１１１、１１２を回転させて関心領域を撮影焦点位置に整列した後にＸ線撮影を行う。
【００５６】
図１１ないし図１３を参照すると、撮影焦点位置に置かれる関心領域Ｉの映像情報、例えば断面映像や立体映像を得るために、前記関心領域Ｉ全体を互いに異なる複数の方向から撮影して、各々の方向ごとに前記関心領域Ｉ全体についての投影データが獲得されたら、映像再構成技法によって前記関心領域の映像情報、例えば横断面切片（Ｃｒｏｓｓ−ｓｅｃｔｉｏｎａｌ  Ｓｌｉｃｅ）映像が作られる。図１１でＦ１とＦ２とＦ３は、各々の撮影方向からの焦点平面（Ｆｏｃａｌ  Ｐｌａｎｅ）を示す。
【００５７】
上述したＸ線撮影において、ある一方向からの関心領域全体についての投影データは、前記関心領域Ｉ全体をカバーすることができる面積の検出器によって獲得されることもでき、図１２に示されたように、前記関心領域Ｉの一部をカバーする狭い面積の検出器によって小面積の部分投影データ（Ｓｕｂ−ｐｒｏｊｅｃｔｉｏｎ  Ｄａｔａ）で分割獲得されることもできる。
【００５８】
図１３を参照すれば、本発明の一実施例による整列バイト１００を利用すれば、互いに異なる位置の関心領域が同一の撮影焦点位置に整列されることができて、これによってＸ線発生器２１０と検出器２２０の作動範囲が最小化されることができ、互いに異なる位置の関心領域を撮影する際にＸ線発生器と検出器の駆動メカニズム、特にアーム２３０の駆動メカニズムが同一に構成されることができる。
【００５９】
つまり、図８のように、整列バイト１００が設置された状態で被検者がバイトピース１２２をかむと、図１３の（ａ）に図示されたように前歯領域Ｉ１の投影データが獲得されることができ、図９のように整列バイト１００が設置された状態で被検者がバイトピース１２２をかむと、図１３の（ｂ）に図示されたように左臼歯領域Ｉ２の投影データが獲得されることができて、これによって顎弓に垂直な方向の断面映像を得ることができる。図１４は、本発明による整列バイト及びこれを有するＸ線撮影装置、特にパノラマ撮影装置を利用して獲得される断面映像の一例を示したものである。
【００６０】
前記のように、本発明による好ましい実施例を詳察したが、前に説明された実施例以外にも本発明がその主旨や範疇から逸脱することなしに異なる特定形態で具体化されることができるという事実は、該当技術に通常の知識を有する人々には自明なことである。
【００６１】
それゆえ、上述した実施例は制限的なものではなく例示的なものと考えられるべきものであり、これによって本発明は上述した説明に限定されず添付された請求項の範疇及びその同等範囲内で変更されることもできる。
【符号の説明】
【００６２】
１００：整列バイト
１１０：サポートユニット
１１０ａ：第１関節
１１０ｂ：第２関節
１１０ｃ：第３関節
１１１：第１リンク部材
１１２：第２リンク部材
１２０：バイトユニット
１２１：バイト支持台
１２２：バイトピース
１３０：固定ホルダー
１３１：ホルダースイッチ
２１０：Ｘ線発生器
２２０：検出器
２３０：アーム（Ａｒｍ）
２４０：駆動ユニット
２５０：装置本体
２５１：支柱フレーム
２５２：支え台
２５３：バイト設置台
【図１】
2015223511.tif 000003
【図２】
2015223511.tif 000004
【図３ａ】
2015223511.tif 000005
【図３ｂ】
2015223511.tif 000006
【図４】
2015223511.tif 000007
【図５】
2015223511.tif 000008
【図６】
2015223511.tif 000009
【図７ａ】
2015223511.tif 000010
【図７ｂ】
2015223511.tif 000011
【図８】
2015223511.tif 000012
【図９】
2015223511.tif 000013
【図１０】
2015223511.tif 000014
【図１１】
2015223511.tif 000015
【図１２】
2015223511.tif 000016
【図１３ａ】
2015223511.tif 000017
【図１３ｂ】
2015223511.tif 000018
【図１４】
2015223511.tif 000019